(57)【要約】      （修正有） 【課題】ティッシュ箱を壁や柱などの鉛直面に保持するためのティッシュ箱保持具であって、軽量・小型であるうえ、ティッシュ箱の取り替えが簡単で低コストのティッシュ箱保持具を提供する。【解決手段】ティッシュ箱保持具１は、鉛直面に固定される固定板２を有し、固定板２が鉛直面に固定されたとき、その固定板２上においてティッシュ箱の長さに相当する間隔をはさむ２箇所のそれぞれに、固定板２の表面上に突出する支持片３が設けられている。一方の支持片３の突出部分であってティッシュ箱の高さを超えない位置から、他方の支持片３における同様の位置にかけて、ティッシュ箱に掛けられる線材４が２本接続される。【選択図】図１
0003162372.tif 000002
【実用新案登録請求の範囲】
【請求項１】
鉛直面に固定される固定板を有すること、
上記固定板の表面上には、固定板が鉛直面に固定されたときティッシュ箱の長さに相当する間隔をはさむ２箇所のそれぞれに突出する支持片が設けられていること、
一方の支持片の突出部分であってティッシュ箱の高さを超えない位置から、他方の支持片における同様の位置まで、ティッシュ箱に掛けられる線材が２本接続されており、または接続可能であること
を特徴とするティッシュ箱保持具。
【請求項２】
上記の固定板を、上記の各支持片が設けられる２箇所に分けて有するとともに、それら固定板の間が、非伸縮性のシートで連結されていることを特徴とする請求項１に記載のティッシュ箱保持具。
【請求項３】
上記の線材がゴムひもであることを特徴とする請求項１または２に記載のティッシュ箱保持具。
【請求項４】
上記の支持片が、固定板の表面の中ほどに、倒れないよう一体に設けられていることを特徴とする請求項１〜３のいずれかに記載のティッシュ箱保持具。
【請求項５】
ティッシュ箱を、長手方向を水平にして鉛直面に保持させるためのティッシュ箱保持具であって、
上記線材のうち１本が、ティッシュ箱の取出口のある表面に掛けられるもので、他の１本が、ティッシュ箱の側面に掛けられるよう上記の１本よりも長いものであることを特徴とする請求項４に記載のティッシュ箱保持具。
【請求項６】
上記の支持片が、固定板との一体物として形成され、固定板の表面の中ほどに垂直に立つ円筒状または円柱状のものであることを特徴とする請求項１〜５のいずれかに記載のティッシュ箱保持具。
【請求項７】
上記の支持片が、ビニール製の円筒であること、
上記の線材が、上記円筒の内部に通されてその先端が円筒の端部に位置合わせされたゴムひもであること、
上記の固定板が、上記円筒が挿入される穴を有する紙シートであり、上記の線材とともに円筒が当該穴に上方から挿入されたとき液体接着剤にて線材と円筒とを穴の内側に固着させたうえ、下面に両面接着テープを貼り付けられたものであること
を特徴とする請求項１〜５のいずれかに記載のティッシュ箱保持具。
【請求項８】
上記の支持片が固定板と直角な面を有する平板状のものであり、固定板と支持片とが、逆Ｔ字状の断面を有する一体物として形成されていることを特徴とする請求項１〜５のいずれかに記載のティッシュ箱保持具。
【考案の詳細な説明】
【技術分野】
【０００１】
本考案は、ティッシュペーパーを収容したティッシュ箱を、壁や柱などの鉛直面上に保持するためのティッシュ箱保持具に関する。
【背景技術】
【０００２】
従来、ティッシュ箱は、棚や机の上に置いた状態で使用されているが、意外と場所をとるものである。また、置き場所がわからなくなったり、ほかのものに隠れていたりして、すぐに見つけられないこともある。このようなティッシュ箱を、テーブルの裏面や家具の側面などに固定するための保持具が知られている（たとえば特許文献１）。
【０００３】
特許文献１のティッシュ箱保持具は、略四角形筒状または略コの字状の基体からなり、その基体の内周面にティッシュ箱を保持する。略コ字状の基体の場合、側面部の先端に、ティッシュ箱を安定させるための安定爪が内方へ突出して設けられている。このような基体は、取り付ける相手側の物体の上面、側面、裏面等に固定される。基体の角部に可動継手を設けて、使用しない場合は取り付ける物体の側に折り畳むこともできる。
【先行技術文献】
【特許文献】
【０００４】
【特許文献１】特開２０００−２１０２２５号公報
【考案の概要】
【考案が解決しようとする課題】
【０００５】
特許文献１のティッシュ箱保持具は、略四角形筒状または略コの字状に形成された基体であるため、ティッシュ箱より一回り大きなものにならざるを得ない。たとえ折り畳んだ状態であっても、ティッシュ箱の上面（下面）程度の大きさにはなってしまう。したがって、取り付ける物体の上面、側面、裏面等に一旦固定してしまうと、不要なときに場所をとり、不都合である。また、製造コストや製品の保管費用が高くなることも考えられる。
さらに、略コの字状の基体の場合、ティッシュ箱は安定爪の内側に置かれるので、基体の側面部を広げるようにしてセットしなければならず、たとえば机の下に基体を固定した場合、ティッシュ箱の取り替え作業は煩雑なものとなる。
【０００６】
上記の課題を考慮し、本考案は、ティッシュ箱を壁や柱などの鉛直面に保持するためのティッシュ箱保持具であって、より軽量・小型・低コストで、ティッシュ箱の取り替えが簡単なティッシュ箱保持具を提供することを目的とする。
【課題を解決するための手段】
【０００７】
上記課題を解決するため、考案にかかるティッシュ箱保持具は、
・  鉛直面に固定される固定板を有すること、
・  上記固定板の表面上には、固定板が鉛直面に固定されたときティッシュ箱の長さに相当する間隔をはさむ２箇所のそれぞれに突出する支持片が（固定板と一体に、または一体でないが接触するものとして）設けられていること、
・  一方の支持片の突出部分であってティッシュ箱の高さを超えない位置から、他方の支持片における同様の位置まで、ティッシュ箱に掛けられる線材が２本接続されており、または接続可能であること
を特徴とする。
【０００８】
上記した固定板は、２片に分かれていて支持片を１つずつ有するものであっても、全長が一体に形成されていて２つの支持片を上記の間隔でともに有するものであってもよい。２片に分かれている場合はコンパクトにデザインできる利点があり、全長が一体に形成されている場合は、２箇所の支持片の間隔があらかじめ設定されるという利点がある。
線材としては、ゴム、バネ、ひも、リボン等が考えられる。ゴムやバネのように伸縮性のある線材の場合は、２つの支持片間に事前に接続されていることが好ましい。一方、伸縮性のない線材の場合は、各支持片に別々に取り付けられて途中で接続（結ぶか面テープを使う等）してティッシュ箱に掛けられるようにすればよい。装飾性の高い線材を用いたり、結合部分をきれいに見せたりすると、インテリア小物として楽しむこともできる。
また、ここにいうティッシュ箱の「長さ」とは、直方体のティッシュ箱の長手方向の寸法を示し、「高さ」とは、ティッシュ箱を上向きに置いたときの高さ（厚さ）を示す。
固定板を固定するための手段は、固定板の裏面に両面接着テープやマグネットを貼り付けて壁等に止める、といった一般的なものでよい。両面接着テープは、再剥離型が好ましい。粘着力を強くしても、はがしたときの糊残りが少なく貼着面を汚さないからである。
【０００９】
上記のようなティッシュ箱保持具であれば、たとえば、２つの支持片が垂直方向に並ぶように固定板を鉛直面に固定したのち、それらの支持片間にティッシュ箱を縦にして（長手方向を垂直にして）設置し、線材をティッシュ箱上に掛けることにより、ティッシュ箱を鉛直面に保持できる（図２）参照）。その結果、ティッシュ箱を壁や柱に取り付けることができ、見つけやすく、ティッシュも取り出しやすくなる。線材がティッシュ箱上に掛かっているので、片方の手で箱が動かないように押えていなくても、片方の手だけで抜き取ることができる。
また、構成がシンプルなので、従来の保持具に比べて軽量・小型・低コストであり、ティッシュ箱の取り替え作業も容易に行える。
【００１０】
とくに、固定板の表面上に支持片を備えているので、支持片によってもティッシュ箱の重さを支えることができる。したがって、満杯時に２００〜３００ｇあるティッシュ箱の重みで線材が下方に向かうのを防ぎ、ティッシュ箱を安定して保持することが可能になるほか、線材の寿命が延びるので繰り返し保持具を使用できるという利点がある。支持片は固定板上に設けられているので、支持片に接続された線材がティッシュ箱上に掛けられたとき、ティッシュ箱を鉛直面側に押付ける作用をして、固定板が鉛直面からはがれようとするのを防ぐ。したがって、両面接着テープは、超強力と呼ばれるほどのものは必要としないし、広い接着面積も必要としない。
【００１１】
線材は２本使用するので、強度やバランスの点でティッシュ箱を安定させやすく、好ましい。ティッシュを取り出したいときは、ティッシュ箱に掛けた複数の線材の隙間から容易に取り出すことができるので、線材が２本あっても使用時にじゃまになることはない。逆に、線材が２本あると、ティッシュの取出し口の両側に線材を配置でき、ティッシュを取り出す際にティッシュ箱が落下しにくいという利点が生じる。
線材は、図１のように、端部を固定板に固着してもよいし、図５のように、支持片に設けたフックに掛け止めてもよい。掛け止める場合、線材の交換が容易であり、保持具を長期にわたって使用できる。
【００１２】
請求項２に係るティッシュ箱保持具は、上記の固定板を、上記の各支持片が設けられる２箇所に分けて有するとともに、それら固定板の間が、非伸縮性のシート（人が普通に手で引っ張っただけでは伸びることのないもので、たとえば紙、布、樹脂シート等）で連結されていることを特徴とする。
【００１３】
このようなティッシュ箱保持具は、非伸縮性のシートで支持片を連結しているため、固定板が一体のものである場合と同様に、測定や調節をしなくとも、支持片の間隔を適切に、つまりティッシュ箱の長さに合うように定めることができる。非伸縮性のシートに装飾性をもたせれば、ティッシュ箱を保持しない状態における見た目がよくなる。なお、ティッシュ箱の長さは、メーカー等によって多少の差はあるが概ね一律であるため、一つの保持具を多種のティッシュ箱に使用できるようにすることが可能である。
【００１４】
請求項３に係るティッシュ箱保持具は、上記の線材が、ゴムひもであることを特徴とする。
このようなティッシュ箱保持具であれば、ゴムひもを軽く引き伸ばすだけでティッシュ箱の脱着が可能なので、ティッシュ箱の交換が容易である。また、ゴムひもの収縮する力が、ティッシュ箱を固定板に効果的に押し付ける作用をするので、安定的にティッシュ箱を保持できる。ゴムひもは、とくに丸ゴムで、２本丸に相当する太さ１．５ｍｍ程度のものが強度の点で好ましい。あまり細いとティッシュ箱の重さを支えることができず、逆に太すぎると、ティッシュ箱の取り替えが困難になったり、ティッシュ箱が変形したりしかねないからである。また、丸ゴムは繊維（糸）で被覆されているので、紫外線に対する耐性の点でも好ましい。
【００１５】
請求項４に係るティッシュ箱保持具のように、上記の支持片が、固定板の表面の中ほど（中央付近）に、倒れないよう一体に（つまり固定板と接着等されて一体的に、または固定板と連続する一体の樹脂等で）設けられているとなおよい。図１に示す保持具１はそのように構成した例である。
そのようにすると、図２のように縦向きにしてティッシュ箱を保持するときや、箱がきわめて重い場合にも、線材（とくにゴムひも）が伸ばされ難く、したがってティッシュ箱の位置が垂れ下がらないからである。上記の支持片が固定板の縁部に設けられているとすると、ティッシュ箱の重量や線材の張力が支持片に作用したとき固定板が壁等の円直面から剥がれやすいが、上記のとおり支持片が固定板の中ほどに設けられていると、そのような剥がれが生じにくいため、長期間安定的に使用できる。
【００１６】
請求項５に係るティッシュ箱保持具は、ティッシュ箱を、長手方向を水平にして鉛直面に保持させるためのティッシュ箱保持具であって、上記線材のうち１本が、ティッシュ箱の取出口のある表面に掛けられるもので、他の１本が、ティッシュ箱の側面に掛けられるよう上記の１本よりも長いものであることを特徴とする。
このようなティッシュ箱保持具であれば、図３のように、ティッシュ箱を横に向けて鉛直面上に安定的に保持できる。線材が、固定板からでなく支持片における上方位置（突出部分）から延びているため、ティッシュ箱の側面（下方）に掛ける線材を適切な位置（箱の側面高さの中央付近）に通せるからからである。また、箱の側面に掛ける線材が他方のもの（箱の表面に掛けるもの）よりも長いため、箱の表面に掛ける線材を取出し口付近の適切な位置（下すぎない位置）に通すことが可能だからでもある。
なお、支持片が固定板と一体であって固定板の中ほどに設けられているので、上記のような姿勢にティッシュ箱を保持する場合にも、固定板が円直面から剥がれにくい。
【００１７】
請求項６に係るティッシュ箱保持具は、上記の支持片が、固定板との一体物として形成され、固定板の表面の中ほどに垂直に立つ円筒状または円柱状のものであることを特徴とする。
支持片が固定板と一体の物であれば、ティッシュ箱の重量を支えるに十分な強度を支持片にもたせやすいうえ、合成樹脂の射出成形等によって固定板および支持片を低コストで製造できる。また支持片が、上記のように固定板の表面上の中ほどで垂直に立つ円筒状または円柱状のものであれば、ティッシュ箱の重量や線材の張力が支持片に作用したときにも壁等の円直面から固定板が剥がれにくい。支持片に作用する力が固定板の中央付近のみに作用し、周縁には作用しないからである。
【００１８】
請求項７に係るティッシュ箱保持具は、とくに、
・  上記の支持片が、ビニール製の円筒であること、
・  上記の線材が、上記円筒の内部に通されてその先端が円筒の端部に位置合わせされたゴムひもであること、
・  上記の固定板が、上記円筒が挿入される穴を有する紙シートであり、上記の線材とともに円筒が当該穴に上方から挿入されたとき液体接着剤にて線材と円筒とを穴の内側に固着させたうえ、下面に両面接着テープを貼り付けられたものであること
を特徴とする。
【００１９】
このようなティッシュ箱保持具は、ビニール製の円筒やゴムひも、紙シート、両面接着テープといった入手容易な安価な材料で、低コストに構成することが可能である。支持片とする上記の円筒とゴムひもとを固定板に取り付けることも、液体接着剤（瞬間接着剤）によって簡単に行える。これについては、支持片がビニール製であるために液体接着剤による接着が可能なのであり、ポリプロピレン等でできた円筒を支持片とする場合には、そのような接着は困難である。
【００２０】
請求項８に係るティッシュ箱保持具は、上記の支持片が、固定板と直角な面を有する平板状のものであり、固定板と支持片とが、逆Ｔ字状の断面を有する一体物として形成されていることを特徴とする。図４・図５に示す保持具３１・４１はその例である。
支持片が平板状で固定板と一体のものであれば、ティッシュ箱の重量を支えるに十分な強度をもたせやすいうえ、合成樹脂の射出成形等によって低コストで製造することも可能である。また、固定板と支持片とが上記のとおり逆Ｔ字状の断面を有するように形成する（つまり支持片を固定板の中ほどから突出するようにする）と、ティッシュ箱の重量や線材の張力が支持片に作用したときも壁等の円直面から固定板が剥がれにくい、という効果がある。その点、固定板と支持片とをたとえばＬ字状断面を有するように形成する（つまり支持片を固定板の縁部から突出するようにする）よりも格段に好ましい。
【考案の効果】
【００２１】
考案にかかるティッシュ箱保持具は、軽量・コンパクト・低コストに構成できるうえ、それによってティッシュを安定的に保持でき、ティッシュ箱の取り替えも容易に行える。
【図面の簡単な説明】
【００２２】
【図１】図１（ａ）は、考案の一実施形態としてのティッシュ箱保持具１の斜視図である。同（ｂ）は、固定板２を下から見た断面図で、両面接着テープ２ａを取り除いた状態を示す。同（ｃ）は、ティッシュ箱保持具１を側方から見た縦断面図、同（ｄ）は、ティッシュ箱保持具１を鉛直面に固定した状態を示す全体図である。
【図２】ティッシュ箱保持具１にティッシュ箱１０を縦向きにしてセットした状態を示す全体図（斜め上から見た図）である。
【図３】別の実施形態であるティッシュ箱保持具２１に、ティッシュ箱１０を水平向きにしてセットした状態を示す全体図（斜め下から見た図）である。
【図４】さらに別の実施形態であるティッシュ箱保持具３１を示す斜視図である。
【図５】さらに別の実施形態であるティッシュ箱保持具４１を示す斜視図である。
【考案を実施するための形態】
【００２３】
考案にかかるティッシュ箱保持具の一実施形態について、図１に基づき説明する。
【００２４】
ティッシュ箱保持具１は、図１（ａ）に示すように、一対の固定板２と、円筒状の二つの支持片３と、端部が支持片３に通されたうえ固定板２に固着されている２本のゴムひも４と、２つの固定板２を連結する非伸縮性のシート５とからなる。
【００２５】
固定板２は、２ｃｍ×４ｃｍの厚紙等を図１（ｂ）・（ｃ）のように積層したものである。すなわち、２本のゴムひも４と支持片３とを通す穴６を設けた厚い紙シート２の上面に後述の非伸縮性のシート５を貼り付け、紙シート２の上面の下面には両面接着テープ２ａ（剥離紙付き）を貼り付けている。
【００２６】
支持片３は、ビニール製の円筒を長さ約２．５ｃｍにカットしたものを用いているが、その太さは、ゴムひも４（ここでは丸ゴムの２本丸、太さ１．５ｍｍ）が２本通せて、ゴムひも４を２本通した状態で、容易に移動し得ない程度のものが好ましい。
【００２７】
２つの固定板２は、固定板２の上表面に端部を接着した非伸縮性のシート５で連結されている。非伸縮性のシート５の幅は、固定板２と同様の２ｃｍとし、長さは、シート５を引っ張って真っ直ぐにしたとき、向かい合う支持片３・３の間にティッシュ箱が長手向き（長さ２４．５ｃｍ）にほぼ隙間なく収まるように設定している。非伸縮性のシート５にも、固定板２の上層紙２ａに設けた穴６の位置に合わせて支持片３とゴムひも４の挿通穴を設けている。当該シート５はとくに材質を問わないが、曲げられる性質を有するものであれば、コンパクトに収納できるため保管スペースをとらなくて好都合である。この例では、紙に布地を貼着したものを用いている。
【００２８】
２箇所の固定板２へのゴムひも４の固定方法は、まず、ゴムひも４の端部４ｘを、針金（図示省略）等を用いて支持片３の円筒内に通し、端部４ｘと支持片３との先端位置を揃えておく。つぎに、非伸縮性のシート５を貼り付けた紙シート２の穴６に、支持片３およびゴムひも４の端部を上方（非伸縮性シート５のある側）から挿入し、挿入した状態で、紙シート２の下方から、穴６と支持片３との間および支持片３とゴムひも４の端部４ｘとの間に液体接着剤（図示省略）を入れる。このようにすると、ビニール円筒とゴムひも４と紙シートとの間の相互の圧迫作用ならびに接着剤の接着作用によって、支持片３である円筒とゴムひも４の端部４ｘとはともに、固定板２である紙シートに対し一体的に固着される。
【００２９】
さらに、固定板２の裏面（紙シート２の裏面）には、再剥離型の両面接着テープ（たとえば、株式会社ニトムズの再はく離一般用両面テープ、Ｎｏ．５０００ＮＳ）を貼り付けている。
【００３０】
このように構成されたティッシュ箱保持具１を、壁などの鉛直面（図示せず）に固定するときは、固定板２の両面接着テープの剥離紙をはがしたうえ、図１（ｄ）のように鉛直面に接着するだけでよい。このとき、非伸縮性のシート５が弛みなく伸ばされるように２箇所の固定板を上下に配置することにより、支持片３の間隔をティッシュ箱の長さに容易に合わせることができる。
【００３１】
鉛直面に固定されたティッシュ箱保持具１の２箇所の支持片３間に、図２のようにティッシュ箱１０をセットし、ゴムひも４を、ティッシュ箱１０の幅の中央付近に通してその表面に掛ける。ティッシュ箱１０は、支持片３と２本のゴムひも４により安定的に保持されるので、ティッシュ箱１０の中のティッシュは、２本のゴムひも４の間から片手で容易に取り出すことができる。また、張力のかかるゴムひも４が固定板２の中央付近に接続されているので、固定板２が鉛直面からはがれにくい。
図１の例では紙シートやビニール製の円筒を用いて固定板２と支持片３とを形成し、それらを接着剤で固着したが、両者をプラスチックの射出成型等によって一体に形成するのも好ましい。そのような一体の物につき、固定板２の裏面に再剥離型の両面接着テープを貼り、支持片３の先端にゴムひも４を結び付けるなどすれば、ティッシュ箱保持具１を構成できる。
２箇所の固定板２へのゴムひもの固定方法は、一定寸法（約５８ｃｍ）に切断されたゴムひもを二つ折りにし、その中央の二つ折りの部分に誘導用針金を引っ掛けて、一方の固定板（および円筒の支持片）の穴に下側から通し、次に他方の固定板（および円筒の支持片）の穴に上側から通して各固定板の下面とゴムひも先端の位置とを揃えた後、固定板下側の両側の穴に低粘度液体接着剤を滴下し、その後固定板の裏側に両面粘着テープを貼り付けるのがよい。
【００３２】
つぎに、別の実施形態としてのティッシュ箱保持具２１を、図３（斜め下から見た図）に基づいて説明する。
図３の保持具２１は、ティッシュ箱１０を水平向きに（長さ方向を水平にして）保持するための保持具である。２本のゴムひも４のうち一方のゴムひも４ａが、図１・図２のティッシュ箱保持具１のゴムひも４と同様の長さで、他方のゴムひも４ｂがそれより数ｃｍだけ長い点において、前記したティッシュ箱保持具１と異なっている。ティッシュ箱保持具１と同一の構成部分については、符号を同一にして説明を省略する。
【００３３】
ティッシュ箱保持具２１を壁などの鉛直面に取り付けるときは、２つの固定板２を水平の位置関係に配置し、非伸縮性のシート５をピンと張った状態に保って、両面接着テープで固定する。ティッシュ箱１０を２箇所の支持片３の間にセットし、２本のゴムひも４のうち、短い方のゴムひも４ａをティッシュ箱１０の幅の中央付近で箱の表面に掛け、長い方のゴムひも４ｂをティッシュ箱１０の側面に掛ける。ゴムひも４ｂが、支持片３の先端開口３ａから出ていて、ティッシュ箱１０の高さ（厚み）のほぼ中央付近を通るので、安定的にティッシュ箱１０を鉛直面に保持することができる。
【００３４】
図４には、さらに別の実施形態としてのティッシュ箱保持具３１を示す。
ティッシュ箱保持具３１は、ティッシュ箱（図示せず）を、鉛直面に対して縦にも水平にも保持できる保持具である。約４ｃｍの幅を有する固定板３２と支持片３３とが、断面が図示のとおり逆Ｔ字状になるようプラスチックにて一体に形成されている。固定板３２の裏面には、再剥離型の両面接着テープ（図示せず）を取り付けている。支持片３３は固定板３２に対して直角に３ｃｍ程度突出する大きさを有し、支持片３３の先端付近に、ゴムひも４が通る大きさの２つの穴３６を、１ｃｍほどの間隔をあけて設けている。固定板３２が内側（ティッシュ箱寄り）および外側（ティッシュ箱と反対側）を向くように２つの支持片３３を配置し、向かい合う穴３６に各１本のゴムひも４を結び付けている。向かい合う穴３６が２組あるので、２本のゴムひも４が１ｃｍほどの間隔をあけて平行に掛けられることになる。ゴムひも４は、穴３６から出た外側に結び目を設けただけなので、ゴムひも４の交換や長さ変更は容易に行える。２つの固定板３２は、固定の手間を簡単にする点で、ティッシュ箱の長さに合わせた長さの非伸縮性のシート５でつなぐのが望ましいが、つながない場合は、２つの支持片３３の間隔を測定して位置を決める。
【００３５】
このようなティッシュ箱保持具３１を用いてティッシュ箱を縦向きに（長さ方向を上下に向けて）保持する場合、固定板３２を上下に配置して、両面接着テープの剥離紙をはがして鉛直面に固定し、向かい合う支持片３３の間にティッシュ箱をセットしたうえ、ゴムひも４を２本ともティッシュ箱の表面に掛ける。固定板３２に一体に形成された下方の支持片３３と、１ｃｍの間隔をあけて平行に掛けられた２本のゴムひも４とにより、ティッシュ箱を安定的に保持できる。
【００３６】
一方、ティッシュ箱を水平向きに保持する場合、固定板３２を左右に間隔をおいて配置し、両面接着テープにより鉛直面上に固定したのち、向かい合う２つの支持片３３の間にティッシュ箱をセットする。２本のゴムひも４のうち上側のものをティッシュ箱の表面に掛け、下側のものをティッシュ箱の下側の側面に掛ける。ゴムひも４が、支持片３３の先端付近の穴３６に接続されているので、下側のゴムひも４がティッシュ箱の側面の中央付近を通ることになり、安定的にティッシュ箱を保持することが可能になる。
なお、このように水平にティッシュ箱１０を保持する場合には、下側のゴムひも４を上側のゴムひも４よりも数ｃｍだけ長くしておく方が、ティッシュ箱１０をより安定的に保持することができて好ましい。図４の形態の保持具３１によってティッシュ箱を水平に保持する場合には、当保持具は円筒状の支持片を用いた保持具２１に比べて上記両面接着テープが剥がれ易い弱点があるため当該接着テープとして接着力の強いものを使用するか、またはその接着面（固定板３２の底面）を広くしておくのが有利である。
【００３７】
さらに別の実施形態としてのティッシュ箱保持具４１を、図５に示す。
ティッシュ箱保持具４１も、ティッシュ箱を縦にも水平にも保持できる保持具である。ティッシュ箱の長さに合わせて全長を連続して形成した幅４ｃｍ程度の固定板４２の両端付近に、固定板４２と同一の幅を有する支持片４３が、固定板４２と直角に一体にプラスチックで形成されている。その両端付近では、固定板４２(の端部付近)と支持片４３とが逆Ｔ字状の断面を有するよう一体になっている。固定板４２は、ティッシュ箱の長さに合わせた長さを有するので、非伸縮性のシートでつなぐ必要がない。固定板４２の裏面の両端部には、剥離型の両面接着テープ（図示せず）を設けている。支持片４３は、固定板４２から３ｃｍ程度突出する大きさを有し、各支持片４３の先端付近の外側面に、ゴムひも４を接続するための下向きフック状の屈曲ピン４６を２個、約１ｃｍの間隔をあけて取り付けている。ゴムひも４は、２組の対向する屈曲ピン４６に対して１本ずつ結びつけることができる。また、図５に示すように、２倍の長さの１本のゴムひも４４を環状にして、合計４個の屈曲ピン４６に回し掛けることによって、２箇所の支持片４３に２本のゴムひもを渡すこともできる。環状のゴムひも４４は、交換がとくに容易に行える。
【００３８】
ティッシュ箱保持具４１を用いてティッシュ箱を縦向きに保持する場合、ティッシュ箱保持具４１の固定板４２を、支持片４３が上下になるよう配置して、両面接着テープの剥離紙をはがして鉛直面に固定し、向かい合う支持片４３の間にティッシュ箱をセットし、環状のゴムひも４４を屈曲ピン４６に掛け止めることにより、ティッシュ箱を保持する。固定板４２に一体に形成された下方の支持片４３と、約１ｃｍの間隔をあけて平行に掛けられたゴムひも４４とにより、ティッシュ箱をより安定的に保持できる。
【００３９】
一方、ティッシュ箱を水平向きに保持する場合、固定板４２を水平に配置して、両面接着テープにより鉛直面に固定する。そののち、向かい合う２つの支持片４３の間にティッシュ箱をセットし、ゴムひも４４のうち、上方の屈曲ピン４６に掛け止めた部分をティッシュ箱の表面に掛け、下方の屈曲ピン４６に掛け止めた部分をティッシュ箱の下側の側面に掛ける。図５のようにゴムひも４４が環状につながっておれば、ティッシュ箱の表面に掛ける部分とその側面に掛ける部分との長さの違いに容易に対応させることができる。また、屈曲ピン４６が支持片４３の先端付近に設けられているので、下方のピン４６に掛け止められたゴムひも４４が、ティッシュ箱の側面の中央付近を通ることになり、安定的にティッシュ箱を保持することが可能になる。図５の保持具４１によってティッシュ箱を水平に保持する場合にも、両面接着テープが剥がれやすくなる傾向があるため、接着テープとして接着力の強いものを使用するか、またはその接着面（固定板４２の底面）を広くしておくのが有利である。
【符号の説明】
【００４０】
１・２１・３１・４１  ティッシュ箱保持具
２・３２・４２  固定板
３・３３・４３  支持片
４・４４  ゴムひも
５  非伸縮性のシート
１０  ティッシュ箱
【図１】
0003162372.tif 000003
【図２】
0003162372.tif 000004
【図３】
0003162372.tif 000005
【図４】
0003162372.tif 000006
【図５】
0003162372.tif 000007
【手続補正書】
【提出日】平成22年6月28日(2010.6.28)
【手続補正１】
【補正対象書類名】明細書
【補正対象項目名】０００７
【補正方法】変更
【補正の内容】
【０００７】
上記課題を解決するため、考案にかかるティッシュ箱保持具は、
・  鉛直面に固定される固定板を有すること、
・  上記固定板の表面上には、固定板が鉛直面に固定されたときティッシュ箱の長さに相当する間隔をはさむ２箇所のそれぞれに突出する支持片が（固定板と一体に、または一体でないが接触するものとして）設けられていること、
・  一方の支持片の突出部分であってティッシュ箱の高さを超えない位置から、他方の支持片における同様の位置まで、ティッシュ箱に掛けられる線材が２本接続されていること
を特徴とする。
【手続補正２】
【補正対象書類名】実用新案登録請求の範囲
【補正対象項目名】全文
【補正方法】変更
【補正の内容】
【実用新案登録請求の範囲】
【請求項１】
鉛直面に固定される固定板を有すること、
上記固定板の表面上には、固定板が鉛直面に固定されたときティッシュ箱の長さに相当する間隔をはさむ２箇所のそれぞれに突出する支持片が設けられていること、
一方の支持片の突出部分であってティッシュ箱の高さを超えない位置から、他方の支持片における同様の位置まで、ティッシュ箱に掛けられる線材が２本接続されていること
を特徴とするティッシュ箱保持具。
【請求項２】
上記の固定板を、上記の各支持片が設けられる２箇所に分けて有するとともに、それら固定板の間が、非伸縮性のシートで連結されていることを特徴とする請求項１に記載のティッシュ箱保持具。
【請求項３】
上記の線材がゴムひもであることを特徴とする請求項１または２に記載のティッシュ箱保持具。
【請求項４】
上記の支持片が、固定板の表面の中ほどに、倒れないよう一体に設けられていることを特徴とする請求項１〜３のいずれかに記載のティッシュ箱保持具。
【請求項５】
ティッシュ箱を、長手方向を水平にして鉛直面に保持させるためのティッシュ箱保持具であって、
上記線材のうち１本が、ティッシュ箱の取出口のある表面に掛けられるもので、他の１本が、ティッシュ箱の側面に掛けられるよう上記の１本よりも長いものであることを特徴とする請求項４に記載のティッシュ箱保持具。
【請求項６】
上記の支持片が、固定板との一体物として形成され、固定板の表面の中ほどに垂直に立つ円筒状または円柱状のものであることを特徴とする請求項１〜５のいずれかに記載のティッシュ箱保持具。
【請求項７】
上記の支持片が、ビニール製の円筒であること、
上記の線材が、上記円筒の内部に通されてその先端が円筒の端部に位置合わせされたゴムひもであること、
上記の固定板が、上記円筒が挿入される穴を有する紙シートであり、上記の線材とともに円筒が当該穴に上方から挿入されたとき液体接着剤にて線材と円筒とを穴の内側に固着させたうえ、下面に両面接着テープを貼り付けられたものであること
を特徴とする請求項１〜５のいずれかに記載のティッシュ箱保持具。
【請求項８】
上記の支持片が固定板と直角な面を有する平板状のものであり、固定板と支持片とが、逆Ｔ字状の断面を有する一体物として形成されていることを特徴とする請求項１〜５のいずれかに記載のティッシュ箱保持具。